(57)【要約】【課題】【解決手段】内側にバルブ１４が離脱可能に嵌合され、外周に雌ねじ部１３ａが形成されると共に、下部にスリット１６、易破断部１７及びピルファープルーフ裾部１８とから構成される周方向弱化部１５を有する蓋体１３を、エアゾール容器本体１１の口部１２の雄ねじ部１２ａに螺合したことを特徴とするねじ付きエアゾール容器。【選択図】        図３
2004315043.tif 000002
【特許請求の範囲】
【請求項１】
内側にバルブが離脱可能に嵌合され、外周に雌ねじ部が形成されると共に、下部にスリット、易破断部及びピルファープルーフ裾部とから構成される周方向弱化部を有する蓋体を、エアゾール容器本体の口部の雄ねじ部に螺合したことを特徴とするねじ付きエアゾール容器。
【請求項２】
前記バルブのステムに、ノズル付き押圧片を嵌合したことを特徴とする請求項１記載のねじ蓋付きエアゾール容器。
【請求項３】
前記蓋体の外周面に、内容物の圧力を外部に放出するための複数のナール部を形成し、該複数のナール部内に形成された複数の幅の短いスリットに混在させて、少なくとも一個以上の幅の長いスリットを形成したことを特徴とする請求項１又は２記載のねじ蓋付きエアゾール容器。
【発明の詳細な説明】
【０００１】
【発明の属する分野】
この発明はねじ蓋付きエアゾール容器に関し、さらに詳しくは、分別廃棄可能なエアゾール容器であって、内容物の使用前に蓋体の開封が外観上認識できると共に、容器内部の圧力を予め外部に逃がすことができる蓋付きエアゾール容器に関する。
【０００２】
【従来の技術】
従来、ねじ付きエアゾール容器に関し、ホイップクリーム、マヨネーズ等を収納する食品エアゾール容器や整髪料、ヘアークリーム等を収納するエアゾール容器等において、分別廃棄可能なエアゾール容器としては、実開昭５９−９３７６４号に示すようなねじ蓋付きエアゾール容器がある。図１１は、従来のねじ蓋付きエアゾール容器の断面図を示す図面である。１００は円筒形のエアゾール容器本体であり、その上にはドーム状の天板１０１が巻締められている。そして、天板１０１の開口部１０２には、雄ねじ部１０２ａが形成されている。又一方蓋体１０３の外周面には、天板１０１の開口部１０２の雄ねじ部１０２ａと螺合する雌ねじ部１０３ａが螺脱自在に形成されている。蓋体１０３の内部には、リップチューブ１０５を備えたバルブ１０４が嵌合されており、廃棄等の場合には、必要に応じて、バルブ１０４と蓋体１０３との嵌合を外すと共に、蓋体１０３とエアゾール容器１００との分別廃棄が可能となる。
【０００３】
しかしながら、分別廃棄の際には螺合を外すことにより、簡単にバルブを取り外すことができるが、内容物の使用前に、蓋体の開封が外観上認識できないという問題があった。又、容器内に収納された内容物から気体等が発生し、容器内の内圧が上昇する場合においては限界点に達した状態で突発的に蓋体が飛ぶ危険があり、予め気体の圧力を外部に逃がすような構造を呈したねじ蓋付きエアゾール容器は存在しなかった。
【０００４】
この発明は、このような問題点に着目してなされたもので、エアゾール容器の廃棄の際に、バルブとエアゾール容器本体、或いはバルブと蓋体とを容易に分離できると共に、エアゾール製品の購入者が、内容物の使用前に蓋体の開封の有無を外観上容易に認識できると共に、容器内部の圧力を予め外部に逃がすことで、突発的な蓋体の飛び出しを防止した蓋付きエアゾール容器を提供することを目的とする。
【０００５】
【課題を解決するための手段】
この課題を解決するため、請求項１記載の発明に対応する手段は、内側にバルブが離脱可能に嵌合され、外周に雌ねじ部が形成されると共に、下部にスリット、易破断部及びピルファープルーフ裾部とから構成される周方向弱化部を有する蓋体を、エアゾール容器本体の口部の雄ねじ部に螺合したことを特徴とするねじ付きエアゾール容器である。
【０００６】
請求項２記載の発明に対応する手段は、バルブのステムに、ノズル付き押圧片を有する押圧体を嵌合したことを特徴とするねじ蓋付きエアゾール容器である。
【０００７】
請求項３記載の発明に対応する手段は、蓋体の外周面に、内容物の圧力を外部に放出するための複数のナール部を形成し、複数のナール部内に形成された複数の幅の短いスリットに混在させて、少なくとも一個以上の幅の長いスリットを形成したことを特徴とするねじ蓋付きエアゾール容器である。
【０００８】
次に、この発明の実施の形態を図面に基づいて説明する。図１は、この発明に係るねじ蓋付きエアゾール容器の第１実施の形態を示す図面である。１はエアゾール容器本体１であり、このエアゾール容器本体１の口部２の雄ねじ部２ａには、蓋体３の雌ねじ部３ａが螺合されている。そして、この蓋体３には、バルブ４が係合されており、蓋体３とバルブ４とは係脱可能に構成されている。さらに、図１（ｂ）に示すように、蓋体３の下部には周方向弱化部５が形成されており、この周方向弱化部５は、スリット６、易破断部７及びピルファープルーフ裾部８とから構成されている。
【０００９】
又、図２に示す第２実施の形態においては、バルブ４のステム４ａに、ノズル９付き押圧片１０が嵌合され、この押圧片１０を押圧する（矢印方向の押圧する）ことにより、バルブ４を開状態にして、内容物をノズル９から外へ突出することができる。その他の構成であるエアゾール容器本体１、口部２、雄ねじ部２ａ、蓋体３、雌ねじ部３ａ、バルブ４、周方向弱化部５、スリット６、易破断部７及びピルファープルーフ裾部８の構成は、第１実施の形態と同様である。
【００１０】
図３は、この発明に係るねじ付きエアゾール容器の第３実施の形態を示す図面である。この第３実施の形態は、第１実施の形態のねじ付き容器内に、内筒５１を挿入したものである。この内筒５１の底部は、エアゾール容器本体１１の底部内面に当接されている。その他の実施例として、内筒がエアゾール容器本体１１内に懸吊されたものであってもよい。その他の構成である口部１２、雄ねじ部１２ａ、蓋体１３、雌ねじ部１３ａ、バルブ１４、その下部に形成される周方向弱化部１５、スリット１６、易破断部１７及びピルファープルーフ裾部１８は第１実施の形態と同様の構成である。
【００１１】
図４は、第３実施の形態に係るエアゾール容器１１と内筒５１とを分離した状態を示す図面である。蓋体１３を回転すると、周方向弱化部１５の易破断部１７はスリット１６方向に沿って破断する。そして、バルブ１４が嵌合された蓋体１３の雌ねじ部１３ａと、エアゾール容器１１の口部１２の雄ねじ部１２ａとを分離することができる。次にバルブ１４と蓋体１３は容易にその嵌合を外すことができるので、エアゾール容器１１、バルブ１４及び蓋体１３は、各々を材質毎に分離することができる。なお、図５（ａ）及び図６（ｂ）は、他の実施例を示す内筒５２、５３である。
【００１２】
図６は、この発明に係るねじ付きエアゾール容器の第４実施の形態を示す図面である。この第４実施の形態は、蓋体２３の外周面に、エアゾール容器本体２１内の圧力を外部に放出するための複数のナール部２９、３１を形成し、複数のナール２９部内に形成された短いスリット３０に混在させて、蓋体２３の外周に少なくとも一個以上の幅の長いスリット３２を形成したことを特徴とするねじ蓋付きエアゾール容器である。その他の構成であるエアゾール容器本体２１、口部２２、雄ねじ部２２ａ、蓋体２３、雌ねじ部２３ａ、バルブ２４、その下部の周方向弱化部２５のスリット２６、易破断部２７及びピルファープルーフ裾部２８は、その他の実施の形態と同様である。
【００１３】
図８は、この発明に係るねじ付きエアゾール容器の第５実施の形態を示す図面である。この第５実施の形態は、蓋体４３の外周に、エアゾール容器本体４１内の圧力を外部に放出するための複数のナール部４９を形成し、このナール４９部内に形成されたスリット４０と、その隣り合うナール部４９のスリット４０を、各々間隙５１に形成した新たなスリット５２を介して連通し、一本の幅の長いスリット６０を形成したものである。この幅の長いスリット６０は、蓋体４３の外周に少なくとも１個以上形成されている。
【００１４】
次に、この発明の作用について説明する。
この発明に係るねじ蓋付きエアゾール容器を廃棄する場合、蓋体を回転し、蓋体の周方向弱化部の易破断部をスリット方向に沿って破断する。そして、ピルファープルーフ裾部のみを、エアゾール容器本体の口部の外周に残し、蓋体とエアゾール容器本体を分離する。次に蓋体とバルブが分離されることにより、完全な分別廃棄が可能となる。すなわち、バルブが嵌合された蓋体の雌ねじ部と、エアゾール容器の口部の雄ねじ部を分離し、次にバルブと蓋体も容易にその嵌合を外すことができる。したがって、廃棄の際に材料別に分離することができる。又、蓋体の下部に形成されたスリット、易破断部及びピルファープルーフ裾部とから構成される周方向弱化部により、内容物の使用前に蓋体の開封の有無が外観上容易に認識できる。
【００１５】
そして、エアゾール容器内に収納された内容物から気体が発生する場合等においては、本発明に係る第４及び第５実施の形態に示すねじ付きエアゾール容器のように、いずれも、内圧が異常に上昇する前に、図１０に示すように、蓋体の幅の長いスリットを有する天面部が、上方に持ち上がるように変形するため、容器内の圧力を外部に逃がすことができるので、蓋体の突発的飛び出しによる危険を、予め回避することができる。試験結果では、幅の長いスリットを、蓋体の外周に３ヶ所程度設けることにより、より確実で安定した内圧の放出が可能となることが判明した。もちろん幅の長いスリットの個数については、容器内の内圧の程度によって自由に決定することができる。これにより、蓋体の突発的な飛び出しを確実に防止できることができる。そして、エアゾール容器が、車内、室内に置き忘れられ、車内の温度上昇により、容器内の内圧が異常に高くなった場合でも、蓋体の突発的な飛び出しを確実に防止することができる。
【００１６】
【発明の効果】
以上説明してきたように、この発明に係るねじ蓋付きエアゾール容器は、分別廃棄可能であり、又内容物の使用前に蓋体の開封が外観上認識できると共に、容器内部の圧力を予め外部に逃がすことができる効果を有する。
【図面の簡単な説明】
【図１】この発明に係るねじ蓋付きエアゾール容器の第１実施の形態を示す一部切欠断面図（ａ）及び周方向弱化部の拡大図（ｂ）。
【図２】この発明に係るねじ蓋付きエアゾール容器の第２実施の形態を示す一部切欠断面図（ａ）及び周方向弱化部の拡大図（ｂ）。
【図３】この発明に係るねじ蓋付きエアゾール容器の第３実施の形態を示す断面図（ａ）及び周方向弱化部の拡大図（ｂ）。
【図４】この発明に係るねじ蓋付きエアゾール容器の第３実施の形態のエアゾール容器本体（ａ）及び内筒付き蓋体の一部切欠断面図（ｂ）。
【図５】この発明に係るねじ蓋付きエアゾール容器の内筒を示す断面図（ａ）（ｂ）。
【図６】この発明に係るねじ蓋付きエアゾール容器の第４実施の形態を示す蓋体の正面図。
【図７】この発明に係るねじ蓋付きエアゾール容器の第４実施の形態の幅の長いナール部を示す拡大図。
【図８】この発明に係るねじ蓋付きエアゾール容器の第５実施の形態を示す蓋体の正面図。
【図９】この発明に係るねじ蓋付きエアゾール容器の第５実施の形態の幅の長いナール部を示す拡大図。
【図１０】この発明に係るねじ蓋付きエアゾール容器の第４及び第５実施の形態において、内圧が逃げる状態を示す幅の長いナール部及びキャップ天面を示す拡大断面図。
【図１１】従来の蓋付きエアゾール容器を示す断面図。
【符号の説明】
１  １１  ２１  ４１  エアゾール容器本体
２  １２  ２２  ４２  口部
２ａ  １２ａ  ２２ａ  ４２ａ  雄ねじ部
３  １３  ２３  ４３  蓋体
３ａ  １３ａ  ２３ａ  ４３ａ  雌ねじ部
４  １４  ２４  ４４  バルブ
４ａ  １４ａ  ステム
５  １５  ２５  ４５  周方向弱化部
６  １６  ２６  ４６  スリット
７  １７  ２７  ４７  易破断部
８  １８  ２８  ４８  ピルファープルーフ裾部
１０  ノズル付き押圧片
２９  ３１  ４９  ナール部
３０  幅の短いスリット
３２  ６０  幅の長いスリット
【図１】
2004315043.tif 000003
【図２】
2004315043.tif 000004
【図３】
2004315043.tif 000005
【図４】
2004315043.tif 000006
【図５】
2004315043.tif 000007
【図６】
2004315043.tif 000008
【図７】
2004315043.tif 000009
【図８】
2004315043.tif 000010
【図９】
2004315043.tif 000011
【図１０】
2004315043.tif 000012
【図１１】
2004315043.tif 000013